(57)【要約】【課題】  利用者の集客効果を有する画像記録装置を提供する。【解決手段】  画像記録部が記録紙に画像記録動作を実行し（Ｓ１でＹＥＳ）、この画像記録動作を動作検出部１０６が検出すると（Ｓ２）、制御部１００が抽選部１０７に当選又は落選を決定する抽選を行わせるようにして（Ｓ３乃至６）、抽選結果の如何に応じた異なる内容のサービスを利用者に付与する等、抽選結果の如何に応じたビジネスモデルの立案を可能として、集客効果を効果的に発揮させる。【選択図】      図３
2005074779.tif 000002
【特許請求の範囲】
【請求項１】
画像データに基づいて記録紙に画像を記録する画像記録装置であって、
画像データに基づいて記録紙に画像を記録する記録手段と、
前記記録手段による画像記録動作の実行を検出する動作検出手段と、
所定の当選確率で当選又は落選を決定する抽選を行う抽選手段と、
前記動作検出手段によって前記記録手段の画像記録動作の実行が検出されたときに、前記抽選手段に抽選を実行させる制御手段と
を備えたことを特徴とする画像記録装置。
【請求項２】
前記抽選手段は、所定の当選確率を有する乱数表に基づいて当選又は落選を決定することを特徴とする請求項１に記載の画像記録装置。
【請求項３】
前記抽選手段による抽選結果を示すための画像データが記憶された画像データ記憶手段を備え、
前記制御手段は、前記抽選手段による抽選が行われた場合に、前記画像データ記憶手段から当該抽選結果に応じた画像データを読み出し、この画像データを前記記録手段によって記録紙に記録させることを特徴とする請求項１又は請求項２に記載の画像記録装置。
【請求項４】
前記抽選手段による抽選結果を示すための画像データが記憶された画像データ記憶手段と、
操作者に対する各種メッセージを表示するための表示手段とを備え、
前記制御手段は、前記抽選手段による抽選が行われた場合に、前記画像データ記憶手段から当該抽選結果に応じた画像データを読み出して前記表示手段に表示させることを特徴とする請求項１又は請求項２に記載の画像記録装置。
【請求項５】
外部操作による操作指示を受け付ける操作指示受付手段を備え、
前記制御手段は、前記表示手段への前記抽選手段による当選結果表示後に、前記操作指示受付手段が記録紙への記録指示を受け付けた場合に、前記記録手段に当選結果を示す画像データを記録させることを特徴とする請求項４に記載の画像記録装置。
【請求項６】
ネットワークを介して電子メールを送信する電子メール送信手段と、
前記電子メール送信手段による電子メール送信先を記憶する送信先記憶手段とを備え、
前記制御手段は、前記操作指示受付手段で受け付けられたユーザ情報に基づいて、前記送信先記憶手段から該当する送信先を読み出し、この読み出した送信先に前記電子メール送信手段から抽選結果を示す電子メールを送信することを特徴とする請求項５に記載の画像記録装置。
【請求項７】
前記記録手段による記録条件に応じた料金を徴収する料金徴収手段を備え、
前記制御手段は、前記抽選手段によって当選が決定された場合に、前記料金徴収手段に所定金額分を減額して料金を徴収させることを特徴とする請求項１乃至請求項６のいずれかに記載の画像記録装置。
【請求項８】
前記制御手段は、前記表示手段への前記抽選手段による当選結果表示後に、前記操作指示受付手段が記録紙への記録又は前記料金減額処理のいずれかを選択する指示を受け付けた場合に、この受け付けた指示の内容に従って前記記録手段による記録紙への記録又は前記料金減額処理のいずれかを実行させることを特徴とする請求項７に記載の画像記録装置。
【請求項９】
前記抽選手段は、所定の異なる当選確率を有する複数の乱数表を有し、前記記録手段による記録条件に応じて、抽選に用いる乱数表を異ならせることを特徴とする請求項１乃至請求項８のいずれかに記載の画像記録装置。
【発明の詳細な説明】
【技術分野】
【０００１】
本発明は、画像データに基づいて記録紙に画像を記録する画像記録装置に関する。
【背景技術】
【０００２】
従来、スキャナ等で読み取られた原稿の画像を記録紙に画像を記録する画像記録装置（例えば、コピー機等）がある。この画像記録装置は、今日ではコンビニエンスストア等に設置され、利用者から指示された枚数分の記録（印刷）を行い、利用者から記録枚数に応じた料金を徴収するものが知られている。
【発明の開示】
【発明が解決しようとする課題】
【０００３】
しかし、上記画像記録装置は、原稿をコピーしたり、又はネットワーク接続された遠隔地のデータベース等から受信した画像データをプリントアウトする機能等の標準的な画像記録機能を有するが、当該画像記録装置の利用者を集客するための機能は備えていない。上記画像記録装置がコンビニエンスストア等に設置される場合、単に画像記録機能を備えるだけでなく、当該画像記録装置の利用者を集客する機能を備えることが望まれる。
【０００４】
本発明は、上記の問題を解決するためになされたものであり、利用者の集客効果を有する画像記録装置を提供することを目的とするものである。
【課題を解決するための手段】
【０００５】
本発明の請求項１に記載の発明は、画像データに基づいて記録紙に画像を記録する画像記録装置であって、
画像データに基づいて記録紙に画像を記録する記録手段と、
前記記録手段による画像記録動作の実行を検出する動作検出手段と、
所定の当選確率で当選又は落選を決定する抽選を行う抽選手段と、
前記動作検出手段によって前記記録手段の画像記録動作の実行が検出されたときに、前記抽選手段に抽選を実行させる制御手段と
を備えたものである。
【０００６】
この構成では、記録手段が画像記録動作を実行し、この画像記録動作を動作検出手段が検出すると、制御手段が抽選手段に当選又は落選を決定する抽選を行わせるようになっている。
【０００７】
また、請求項２に記載の発明は、請求項１に記載の画像記録装置であって、前記抽選手段は、所定の当選確率を有する乱数表に基づいて当選又は落選を決定するものである。
【０００８】
この構成では、当選又は落選を決定する抽選に、抽選手段が所定の確率を有する乱数表を用いることによって、当選を無作為に決定し、当選確率を一定に保つようにしている。
【０００９】
また、請求項３に記載の発明は、請求項１又は請求項２に記載の画像記録装置であって、前記抽選手段による抽選結果を示すための画像データが記憶された画像データ記憶手段を備え、
前記制御手段は、前記抽選手段による抽選が行われた場合に、前記画像データ記憶手段から当該抽選結果に応じた画像データを読み出し、この画像データを前記記録手段によって記録紙に記録させるものである。
【００１０】
この構成では、抽選手段による抽選が行われると、制御手段が画像データ記憶手段から当該抽選結果に応じた画像データを読み出し、この画像データを記録手段に記録紙に記録させることで利用者に抽選結果を認識させる。
【００１１】
また、請求項４に記載の発明は、請求項１又は請求項２に記載の画像記録装置であって、前記抽選手段による抽選結果を示すための画像データが記憶された画像データ記憶手段と、
操作者に対する各種メッセージを表示するための表示手段とを備え、
前記制御手段は、前記抽選手段による抽選が行われた場合に、前記画像データ記憶手段から当該抽選結果に応じた画像データを読み出して前記表示手段に表示させるものである。
【００１２】
この構成では、抽選手段による抽選が行われると、制御手段が画像データ記憶手段から当該抽選結果に応じた画像データを読み出し、この画像データを表示手段に表示させることで、利用者に当選したことを認識させるようにしている。
【００１３】
また、請求項５に記載の発明は、請求項４に記載の画像記録装置であって、外部操作による操作指示を受け付ける操作指示受付手段を備え、
前記制御手段は、前記表示手段への前記抽選手段による当選結果表示後に、前記操作指示受付手段が記録紙への記録指示を受け付けた場合に、前記記録手段に当選結果を示す画像データを記録させるものである。
【００１４】
この構成では、抽選手段による当選結果を表示手段に表示した後、操作指示受付手段が記録紙への記録指示を受け付けた場合に、制御手段が記録手段に当選結果を示す画像データを記録させるようにして、当選結果を記録紙に記録するか否かを利用者に選択可能としている。
【００１５】
また、請求項６に記載の発明は、請求項５に記載の画像記録装置であって、ネットワークを介して電子メールを送信する電子メール送信手段と、
前記電子メール送信手段による電子メール送信先を記憶する送信先記憶手段とを備え、
前記制御手段は、前記操作指示受付手段で受け付けられたユーザ情報に基づいて、前記送信先記憶手段から該当する送信先を読み出し、この読み出した送信先に前記電子メール送信手段から抽選結果を示す電子メールを送信するものである。
【００１６】
この構成では、操作指示受付手段で受け付けられたユーザ情報に基づいて、制御手段が送信先記憶手段から該当する送信先を読み出して、電子メール送信手段に電子メールを送信させて、抽選結果を電子メールで利用者に告知するようにしている。
【００１７】
また、請求項７に記載の発明は、請求項１乃至請求項６のいずれかに記載の画像記録装置であって、前記記録手段による記録条件に応じた料金を徴収する料金徴収手段を備え、
前記制御手段は、前記抽選手段によって当選が決定された場合に、前記料金徴収手段に所定金額分を減額して料金を徴収させるものである。
【００１８】
この構成では、抽選手段によって当選が決定されると、料金徴収手段に所定金額分を減額して料金を徴収させることで、抽選手段による抽選結果に応じて利用者から徴収する金額を異ならせるようにしている。
【００１９】
また、請求項８に記載の発明は、請求項７に記載の画像記録装置であって、前記制御手段は、前記表示手段への前記抽選手段による当選結果表示後に、前記操作指示受付手段が記録紙への記録又は前記料金減額処理のいずれかを選択する指示を受け付けた場合に、この受け付けた指示の内容に従って前記記録手段による記録紙への記録又は前記料金減額処理のいずれかを実行させるものである。
【００２０】
この構成では、抽選手段による当選結果表示後、前記操作指示受付手段が記録紙への記録又は料金減額処理のいずれを選択する指示を受け付けるかによって、制御手段が実行させる処理の内容を異ならせるようにしている。
【００２１】
また、請求項９に記載の発明は、請求項１乃至請求項８のいずれかに記載の画像記録装置であって、前記抽選手段は、所定の異なる当選確率を有する複数の乱数表を有し、前記記録手段による記録条件に応じて、抽選に用いる乱数表を異ならせるものである。
【００２２】
この構成では、記録手段による記録条件に応じて、抽選に用いる乱数表を異ならせることで、記録条件に応じて異なる当選確率でもって抽選を行うようにしている。
【発明の効果】
【００２３】
請求項１に記載の発明によれば、抽選結果の如何に応じた異なる内容のサービスを利用者に付与する等、抽選結果の如何に応じたビジネスモデルの立案を可能として、集客効果を効果的に発揮させることができる。
【００２４】
請求項２に記載の発明によれば、当選を無作為に決定し、当選確率を一定に保つための機構を簡単な構成で実現することができる。
【００２５】
請求項３に記載の発明によれば、記録手段によって記録紙に抽選結果を記録させることで、利用者が抽選結果を簡単に認識することができる。
【００２６】
請求項４に記載の発明によれば、抽選手段による抽選が行われると、記録紙への記録を行うことなく、利用者に抽選結果を認識させることができるので、抽選結果を利用者に認識させるために記録紙の使用量が増えることがない。
【００２７】
請求項５に記載の発明によれば、抽選結果を記録紙に記録するか否かを利用者が選択可能なので、抽選結果の提供に関して利用者の必要に応じたサービスを行うことができる。
【００２８】
請求項６に記載の発明によれば、抽選結果が電子メールで利用者に告知されるので、利用者が当該画像記録装置から離れた位置に移動した場合であっても、利用者は自己所有の通信端末機器等で当該電子メールを受信することにより抽選結果を知ることができる。
【００２９】
請求項７に記載の発明によれば、抽選手段による抽選結果に応じて利用者から徴収する金額を異ならせるので、料金徴収時に利用料金減額というサービスを同時に利用者に提供することができる。また、利用者は料金徴収手段による料金徴収時に減額後の料金を支払えば足りるので、利用者に与える経済的負担を少なくでき、更なる集客効果が期待できる。
【００３０】
請求項８に記載の発明によれば、提供されるサービスの内容を選択できる機会を利用者に付与し、利用者の好みに応じてバリエーションに富むサービスを提供できる。
【００３１】
請求項９に記載の発明によれば、記録手段による記録条件に応じて異なる当選確率で抽選を行うための機構を簡単な構成で実現することができる。
【発明を実施するための最良の形態】
【００３２】
以下、本発明に係る実施形態を図面に基づいて説明する。図１は、本発明の一実施形態に係る画像記録装置の一例である複合機の内部構成を概略的に示す側面図である。複合機１は、コピー機能、プリンタ機能、スキャナ機能及びファクシミリ機能等の機能を兼ね備え、インターネット等のネットワークに接続されることで遠隔地のデータベースから受信したデータのプリントアウトや、電子メール送受信が可能とされている。
【００３３】
複合機１は、本体部２と、本体部２の左方に配設されたスタックトレイ３と、本体部２の上部に配設された原稿読取部５と、原稿読取部５の上方に配設された原稿給送部６とを有している。
【００３４】
また、複合機１のフロント部には、操作部４７が設けられている。この操作部４７には、利用者が印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部４７３と、表示部４７３で設定された設定内容等をリセットするリセットキー４７４と、実行中の印刷（画像記録）動作を停止させるためのストップキー４７５と、コピー機能、プリンタ機能、スキャナ機能及びファクシミリ機能を切り換えるための機能切換キー４７７が備えられている。
【００３５】
原稿読取部５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動し、原稿画像を走査しつつ画像データを取得する。また、原稿給送部６により給送された原稿を読み取るときは、原稿読取スリット５３と対向する位置に移動し、原稿読取スリット５３を介して原稿給送部６による原稿の搬送動作と同期して原稿の画像を読み取り、その画像データを取得する。
【００３６】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００３７】
本体部２は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００３８】
記録部（記録手段）４０は、スキャナ部５１で取得された画像データに基づきレーザ光等を出力して感光体ドラム４３を露光する露光装置４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ３又は排出トレイ４８まで搬送する搬送ローラ４６３，４６４等とを備える。
【００３９】
また、記録紙の両面に画像を形成する場合は、記録部４０で記録紙の一方の面に画像を形成した後、この記録紙を排出トレイ４８側の給紙ローラ４６２にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００４０】
プリンタ動作を行う場合は、外部コンピュータ等から複合機１内のプリンタコントローラ（後述）に画像データが入力され、露光装置４２で当該画像データに基づいて生成された変調信号をレーザ光に変換して感光体ドラム４３に出力し、感光体ドラム４３上に静電潜像が形成される。この後、コピー動作と同様の現像，転写，定着，記録紙搬送が行われる。
【００４１】
図２は複合機１の電気的構成の概略を示す機能ブロック図である。複合機１には、装置全体の動作制御を司る制御部１００が備えられている。この制御部１００には、露光ランプ５１１及びＣＣＤ５１２等からなる原稿画像の読み取りが可能なスキャナ部５１と、用紙搬送部１１０，感光体ドラム４３及び現像部４４等からなる画像形成部１１１，転写部４１，及び定着部４５等で構成される記録部（記録手段）４０とが接続されている。
【００４２】
制御部１００には、スキャナ部５１で読み取られた文書データが一時的に保存される等の作業領域として使用される画像メモリ１４０と、文書データを保存可能なＨＤＤ（内部記憶装置）１５０が接続されている。画像処理部１６０は、スキャナ部５１で読み取られた画像データ等に対して画像記録に必要な画像処理を施すものである。
【００４３】
上述した操作部４７も制御部１００によって制御される。なお、操作キー部４７０は、スタートキー４７１、テンキー４７２、リセットキー４７４と、ストップキー４７５及び機能切換キー４７７等の総称である。
【００４４】
また、制御部１００は、複合機１が実行可能な各機能を制御するスキャナコントローラ１０１，ファクシミリコントローラ１０２，プリンタコントローラ１０３，コピーコントローラ１０４及びネットワークコントローラ１０５として機能する。
【００４５】
スキャナコントローラ１０１は、スキャナ部５１の動作に必要な各部の動作制御を行うものである。ファクシミリコントローラ１０２は、ファクシミリ動作に必要な各部の動作制御を行うものであり、ファクシミリ通信に必要なデータの調整を行うファクシミリ通信部１２１を制御する。ファクシミリ通信部１２１には、データ送受信相手である相手先ファクシミリとの電話回線の接続を制御するＮＣＵ（Network Control Unit）が備えられている。
【００４６】
プリンタコントローラ１０３は、プリンタ動作に必要な各部の動作制御を行うものである。このプリンタコントローラ１０３には、複数の信号線を用いて同時に数ビットまとめてデータを送るパラレル伝送で外部機器と接続するパラレルＩ／Ｆ部１２２と、単一の信号線を用いて1ビットずつ順次データを送るシリアル伝送で外部機器と接続するシリアルＩ／Ｆ部１２３とが接続されている。また、コピーコントローラ１０４は、コピー動作に必要な各部の動作制御を行うものである。
【００４７】
ネットワークコントローラ１０５は、本複合機１とネットワーク上のコンピュータ等との間で行われるデータ送受信を制御するものである。ネットワークコントローラ１０５は、ネットワークＩ／Ｆ部１２４を介して外部とデータを送受信させる。
【００４８】
さらに、制御部１００は、記録部４０による画像記録動作の実行（例えば、画像記録動作の開始や終了等）を検出する動作検出部（動作検出手段）１０６、所定の当選確率で当選又は落選を決定する抽選を行う抽選部（抽選手段）１０７、ネットワークを介した電子メール送受信動作を制御する電子メール送信部（電子メール送信手段）１０８として機能する。抽選部１０７は、抽選用データ記憶部１７０に記憶されている所定の当選確率を有する乱数表に基づいて当選又は落選を決定する。この抽選用データ記憶部１７０には、記録部４０（画像形成部１１１）によって行われる記録条件に応じて予め定められた異なる当選確率を有する複数の乱数表が記憶されており、記録部４０による記録条件に関連づけられている当選確率を有する乱数表が抽選部１０７によって選択される。
【００４９】
電子メール送受信部１０８は、操作部４７に利用者から入力されたユーザＩＤ情報に基づいて、これに関連付けられてメール送信情報記憶部１８０に記憶されている各利用者固有のメールアドレスを読み出し、メール送信情報記憶部１８０から読み出した当選又は落選を示す文書データを送信する。
【００５０】
画像データ記憶部１９０には、抽選部１０７による抽選結果（当選又は落選）を表現するための画像データが記憶されており、制御部１００は、抽選部１０７によって抽選が行われた場合に、画像データ記憶部１９０から抽選結果にふさわしい画像データを読み出し、記録部４０（画像形成部１１１）に記録紙への印刷を行わせるか、又は表示部４７３に表示させる等の制御を行う。料金徴収装置（料金徴収部）２００は、複合機１に外部接続された所謂コインベンダー等であり、制御部１００によって制御される。
【００５１】
次に、複合機１で画像記録処理及び抽選処理を行う場合の処理を説明する。図３は複合機１で画像記録及び抽選を行う場合の処理を示すフローチャート、図４は当選を決定した場合における操作部４７の例を示す図、図５は当選結果を印刷した状態を示す図である。
【００５２】
複合機１は、コピー機能により原稿を複写した場合や、外部ネットワーク上のデータベース等に蓄積されているデータをプリンタ機能により印刷した場合、ファクシミリ機能によりデータを送受信した場合等の画像記録動作を行った場合に、当選又は落選を示す抽選を行うことを特徴とするものである。この抽選処理を行うことにより、複合機１がコンビニエンスストア等に設置されている場合に、利用者に対して抽選結果に応じて異なる内容のサービスを提供することを目的とする。
【００５３】
上記コピー機能等の実行により記録部４０による画像記録の終了が動作検出部１０６によって検出されると（Ｓ１でＹＥＳ）、当該画像記録についての記録条件を制御部１００が確認する（Ｓ２）。この記録条件とは、例えば、今回行われた合計プリント枚数や、部数、記録紙サイズ、カラー／モノクロ印刷等の諸条件である。そして、確認した記録条件に応じた確率を有する乱数表を抽選部１０７が抽選用データ記憶部１７０から選択する（Ｓ３）。そして、選択した確率の乱数表を用いて抽選部１０７が乱数を発生させて当選又は落選を決定する（Ｓ４）。例えば、合計プリント枚数が予め定められた基準値よりも多い場合には、当選確率が50％の乱数表を用い、合計プリント枚数が予め定められた基準値以下である場合には、当選確率が10％の乱数表を用いる等の処理を行うようにする。
【００５４】
続いて、制御部１００は、Ｓ４で決定した抽選結果に対応する画像データを画像データ記憶部１９０から読み出して（Ｓ５）、この画像データを抽選結果として表示部４７３に表示させる（Ｓ６）。例えば、抽選結果が当選の場合は、当選したことを示す画像データを読み出して、図４に示すように、表示部４７３に当選結果画面４７３０を表示して、複合機１の利用者に抽選結果が当選であることを認識させるようにする。この当選結果画面４７３０には、印刷ボタン４７３１、プレゼント不要ボタン４７３２が表示される。
【００５５】
利用者によって、上記当選結果画面４７３０の印刷ボタン４７３１が押下されて印刷指示が入力された場合は（Ｓ７でＹＥＳ）、例えば図５に示すような記録結果となるように、制御部１００が記録部４０に当選結果を記録紙に印刷させる（Ｓ８）。この場合、記録紙には、図５のような、当選結果画面４７３０とは異なる画像を印刷してもよいし、表示部４７３に表示されている当選結果画面４７３０をそのまま記録紙に印刷してもよい。
【００５６】
また、印刷指示が無い場合、例えば、プレゼント不要ボタン４７３２が押下された場合や、予め定められた所定時間内に印刷指示がない場合は（Ｓ７でＮＯ）、制御部１００は記録部４０に当選結果を印刷させずに処理を終了する。よって、利用者が、当選による景品の交換を望まない場合は、印刷をしないことを選択すれば、景品を受け取らないことを選択できるようになっている。
【００５７】
以上の処理を行うことによって、抽選結果の如何に応じた異なる内容のサービスを利用者に付与する等、抽選結果の如何に応じたビジネスモデルの立案を可能として、集客効果を効果的に発揮させることができる。
【００５８】
次に、複合機１による画像記録処理及び抽選処理の第２実施形態を説明する。図６は、複合機１による画像記録処理及び抽選処理の第２実施形態を示すフローチャートである。第２実施形態は、抽選部１０７による抽選結果を、電子メールで利用者のメールアドレス宛に送信することを特徴とする。
【００５９】
記録部４０による画像記録が終了すると（Ｓ１１でＹＥＳ）、制御部１００が画像データ記憶部１９０から、ユーザＩＤ情報の入力を促すメッセージを表示するための画像データを読み出して表示部４７３に表示させる（Ｓ１２）。そして、利用者によって、操作部４７からユーザＩＤ情報が入力されると（Ｓ１３でＹＥＳ）、今回の画像記録についての記録条件を制御部１００が確認し（Ｓ１４）、この確認された記録条件に対応する乱数表を用いて抽選部１０７が当選又は落選を決定する（Ｓ１５，Ｓ１６）。なお、利用者によってユーザＩＤが入力されない場合は（Ｓ１３でＮＯ）、抽選部１０７による抽選及びメール送信処理を行わずに処理を終了する。
【００６０】
続いて、電子メール送受信部１０８は、操作部４７から入力されたユーザＩＤに対応付けられてメール送信情報記憶部１８０に記憶されている当該利用者のメールアドレス（メール送信先情報）及び当選落選の別を示す文書データを読み出し（Ｓ１７）、ネットワークコントローラ１０５及びネットワークＩ／Ｆ部１２４を介して、当該メールアドレスに抽選結果を示す内容の電子メールを送信する（Ｓ１８）。
【００６１】
この第２実施形態に係る処理によれば、複合機１から利用者に電子メールで抽選結果が送信されるので、利用者が印刷後に複合機１から離れた場所に移動した場合であっても、利用者は自己所有のＰＤＡ（personal digital assistants）や携帯電話、パーソナルコンピュータ等によって抽選結果を知ることができる。また、Ｓ１３の処理で利用者がユーザＩＤを入力しなければ抽選及びメール送信が行われないので、利用者はユーザＩＤを入力するか否かを選択することによって、抽選を行うか否かを選択することができる。
【００６２】
次に、複合機１による画像記録処理及び抽選処理の第３実施形態を説明する。図７は、複合機１による画像記録処理及び抽選処理の第３実施形態を示すフローチャートである。第３実施形態は、抽選部１０７による抽選処理で当選を決定した場合に、ユーザから徴収するプリント料金を減額する処理を行うことを特徴とする。
【００６３】
画像記録後に抽選部１０７が抽選処理を行って、制御部１００が抽選結果を表示部４７３に表示させると（Ｓ２１乃至Ｓ２６）、続いて制御部１００は当該抽選結果が当選か否かを判断する（Ｓ２７）。ここで、抽選結果が当選である場合は（Ｓ２７でＹＥＳ）、料金徴収装置２００にユーザから徴収させるプリント料金を、合計プリント枚数等の印刷諸条件に応じて計算した正規料金から所定金額を減額した金額にする処理を行う（Ｓ２８）。例えば、正規料金を所定の割合（30％割引等）で割引したり、一定金額を正規料金から差し引く等の処理を行う。また、抽選結果が落選であった場合は（Ｓ２７でＮＯ）、制御部１００は上記減額処理を行わない。この後、制御部１００は、抽選結果に応じた料金を料金徴収装置２００に徴収させる（Ｓ２９）。
【００６４】
この第３実施形態の処理によれば、料金徴収と同時に、プリント料金減額というサービスを利用者に提供することができる。また、利用者は料金徴収装置２００による料金徴収時に、減額後の料金を支払えば足りるので、利用者に与える経済的負担を少なくでき、更なる集客効果が期待できる。
【００６５】
次に、複合機１による画像記録処理及び抽選処理の第４実施形態を説明する。図８は、複合機１による画像記録処理及び抽選処理の第４実施形態を示すフローチャート、図９は第４実施形態において当選を決定した場合の操作部４７の例を示す図である。第４実施形態は、抽選処理で当選を決定したときに、利用者に対して提供するサービスの内容を表示部４７３に表示し、利用者によって選択されたサービスを提供するための処理を行うことを特徴とする。
【００６６】
この第４実施形態では、抽選部１０７が抽選処理を行った後（Ｓ３１乃至Ｓ３４）、表示部４７３に制御部１００は画像データ記憶部１９０から抽選結果を表示部４７３に表示するが（Ｓ３５，Ｓ３６）、抽選処理で当選と決定した場合には、制御部１００が、提供するサービスの内容と共に、利用者に所望のサービスの選択を促す旨を示す画像データを画像データ記憶部１９０から読み出して表示部４７３に表示させる（例えば、図９参照）。
【００６７】
ここで、抽選結果が落選である場合は（Ｓ３７でＮＯ）、利用者からのサービス選択指示の入力を待たずにＳ４０の料金徴収処理を行って処理を終了する。抽選結果が当選である場合には（Ｓ３７でＹＥＳ）、利用者からのサービス選択指示の入力を待ち、入力された指示に従った処理を行う（Ｓ３８）。
【００６８】
ここで、例えば、表示部４７３に、図９に示すようなサービス選択画面４７３３がされている場合に、利用者がサービス選択画面４７３３上の印刷ボタン４７１３を押下して印刷指示が入力されると（Ｓ３８で印刷指示）、制御部１００は記録部４０に、例えば、上記図５に示したような印刷結果となる印刷を行わせる（Ｓ４１）。また、利用者がサービス選択画面４７３３の料金減額ボタン４７３５を押下して料金減額指示が入力された場合は（Ｓ３８で料金減額指示）、料金徴収装置２００にユーザから徴収させるプリント料金を減額する処理を行わせる（Ｓ３９）。また、利用者がサービス選択画面４７３３上のプレゼント不要ボタン４７３２を押下してプレゼント不要指示が入力された場合は（Ｓ３８で不要）、上記印刷処理（Ｓ４１）や料金減額処理（Ｓ３９）は行わない。この後、制御部１００は、抽選結果及びユーザの指示に応じた料金を料金徴収装置２００に徴収させる（Ｓ４０）。
【００６９】
この第４実施形態の処理によれば、提供されるサービスの内容を選択できる機会を利用者に付与して、利用者の好みに応じたバリエーションに富むサービスを提供できる。
【００７０】
なお、本発明は上記実施の形態の構成に限られず種々の変形が可能である。例えば、上記第１乃至第４実施形態では、抽選部１０７による抽選処理に乱数表を用いるようにしているが、数式等を用いて抽選処理を行うなど、他の抽選処理を行うようにしてもよい。
【００７１】
また、上記実施形態では、本発明に係る画像記録装置として、複合機１を用いて説明したが、コピー機能、プリンタ機能、ファクス機能のいずれかのみ又は２つの機能を有する画像記録装置であってもよいことは勿論である。
【図面の簡単な説明】
【００７２】
【図１】本発明の一実施形態に係る画像記録装置の一例である複合機の内部構成を概略的に示す側面図である。
【図２】複合機の電気的構成の概略を示す機能ブロック図である。
【図３】複合機で画像記録及び抽選を行う場合の処理を示すフローチャートである。
【図４】当選を決定した場合における操作部の例を示す図である。
【図５】当選結果を印刷した状態を示す図である。
【図６】複合機による画像記録処理及び抽選処理の第２実施形態を示すフローチャートである。
【図７】複合機による画像記録処理及び抽選処理の第３実施形態を示すフローチャートである。
【図８】複合機による画像記録処理及び抽選処理の第４実施形態を示すフローチャートである。
【図９】第４実施形態において当選を決定した場合の操作部の例を示す図である。
【符号の説明】
【００７３】
１        複合機
４１      転写部
４２      露光装置
４３      感光体ドラム
４４      現像部
４５      定着部
４７      操作部
１００    制御部
１０５    ネットワークコントローラ
１０６    動作検出部
１０７    抽選部
１０８    電子メール送受信部
１１１    画像記録部
４７３    表示部
４７３１  印刷ボタン
４７３２  プレゼント不要ボタン
４７３３  サービス選択画面
４７３５  料金減額ボタン
【図１】
2005074779.tif 000003
【図２】
2005074779.tif 000004
【図３】
2005074779.tif 000005
【図４】
2005074779.tif 000006
【図５】
2005074779.tif 000007
【図６】
2005074779.tif 000008
【図７】
2005074779.tif 000009
【図８】
2005074779.tif 000010
【図９】
2005074779.tif 000011